(57)【要約】【課題】ボールとフェース面との間に水が介在した状態でのインパクト時にスコアラインから水が抜け易く、バックスピンがかかり易いアイアン型ゴルフクラブヘッドを提供する。【解決手段】スコアライン１〜１７のうちリーディングエッジ２２近傍のスコアライン１〜４のトウ側端部はリーディングエッジ２２にまで達している。即ち、スコアライン１〜４を構成する各溝はソール面に向って開放している。点Ａ，Ｂを結ぶ直線と各スコアライン１〜１７との交差角度θは８〜４０°特に１０〜４０°とりわけ１６〜４０°程度が好適である。【選択図】図１
2013090828.tif 000002
【特許請求の範囲】
【請求項１】
フェース面に複数条のスコアラインが平行に設けられており、各スコアラインはトウ側ほどリーディングエッジに近づくように斜めとなっているアイアン型ゴルフクラブヘッドにおいて、
該リーディングエッジ近傍のスコアラインのトウ側の端部がリーディングエッジにまで達していることを特徴とするアイアン型ゴルフクラブヘッド。
【請求項２】
請求項１において、トウ側端部がリーディングエッジに達していない各スコアラインのトウ側の端部は一直線上に位置し、リーディングエッジ近傍の各スコアラインのヒール側の端部は別の一直線上に位置しており、
トウ側端部がリーディングエッジに達していない各スコアラインのトウ側の端部を結ぶ直線ａがリーディングエッジと交わる点をＡとし、リーディングエッジ近傍の各スコアラインのヒール側の端部を結ぶ直線ｂがリーディングエッジと交わる点をＢとしたときに、直線ＡＢとスコアラインとの交差角度θが８〜４０°であることを特徴とするアイアン型ゴルフクラブヘッド。
【請求項３】
請求項１又は２において、前記スコアラインは、奥底側の幅がフェース面側の幅よりも小さい略台形断面形状の溝よりなり、スコアラインの溝側面と溝底面との交差部が曲率半径０．０５〜０．２ｍｍの湾曲面となっていることを特徴とするアイアン型ゴルフクラブヘッド。
【請求項４】
請求項３において、該スコアラインの該溝底面が凹に湾曲した湾曲面となっており、この湾曲面の曲率半径が０．２〜２．０ｍｍであることを特徴とするアイアン型ゴルフクラブヘッド。
【発明の詳細な説明】
【技術分野】
【０００１】
本発明は、アイアン型ゴルフクラブヘッドに係り、特にスコアラインが、トウ側ほどリーディングエッジに近づくように斜めとなっているアイアン型ゴルフクラブヘッドに関する。
【背景技術】
【０００２】
スコアラインをトウ側ほどリーディングエッジに近づくように斜めとしたロフト角５０〜７０°のアイアン型ゴルフクラブヘッド（ウェッジ）が特許文献１に記載されている。このアイアン型ゴルフクラブヘッドによれば、フェース面を開いたオープンフェースとしたときにスコアラインが飛球線に対し直交方向（スクウェア方向）又はそれに近い方向に延在するので、ヒットしたボールにバックスピンがかかり易くなる。
【先行技術文献】
【特許文献】
【０００３】
【特許文献１】特開２００９−２０１７０３
【発明の概要】
【発明が解決しようとする課題】
【０００４】
特許文献１では、スコアラインのトウ側端部はリーディングエッジまでは達していない。この場合、降雨などによりフェース面に水が付いていたり、ライ（芝など）が水で濡れていた場合、インパクト時にボールとフェースとの間に介在する水がスコアラインから抜けず、バックスピンがかかりにくくなることがある。
【０００５】
本発明は、ボールとフェース面との間に水が介在した状態でのインパクト時にスコアラインから水が抜け易く、バックスピンがかかり易いアイアン型ゴルフクラブヘッドを提供することを目的とする。
【課題を解決するための手段】
【０００６】
本発明のアイアン型ゴルフクラブヘッドは、フェース面に複数条のスコアラインが平行に設けられており、各スコアラインはトウ側ほどリーディングエッジに近づくように斜めとなっているアイアン型ゴルフクラブヘッドにおいて、該リーディングエッジ近傍のスコアラインのトウ側の端部がリーディングエッジにまで達していることを特徴とするものである。
【０００７】
本発明では、トウ側端部がリーディングエッジに達していない各スコアラインのトウ側の端部は一直線上に位置し、リーディングエッジ近傍の各スコアラインのヒール側の端部は別の一直線上に位置しており、トウ側端部がリーディングエッジに達していない各スコアラインのトウ側の端部を結ぶ直線ａがリーディングエッジと交わる点をＡとし、リーディングエッジ近傍の各スコアラインのヒール側の端部を結ぶ直線ｂがリーディングエッジと交わる点をＢとしたときに、直線ＡＢとスコアラインとの交差角度θが８〜４０°であることが好ましい。
【０００８】
本発明では、前記スコアラインは、奥底側の幅がフェース面側の幅よりも小さい略台形断面形状の溝よりなり、スコアラインの溝側面と溝底面との交差部が曲率半径０．０５〜０．２ｍｍの湾曲面となっていることが好ましい。
【０００９】
本発明では、スコアラインの該溝底面が凹に湾曲した湾曲面となっており、該湾曲面の曲率半径が０．２〜２．０ｍｍであることが好ましい。
【発明の効果】
【００１０】
本発明のアイアン型ゴルフクラブヘッドでは、スコアラインがトウ側ほどリーディングエッジに近づくように斜めとなっており、オープンフェースとしたときにスコアラインがスクウェア又はそれに近くなり、バックスピンがかかり易い。また、本発明では、リーディングエッジ側のスコアラインがリーディングエッジにまで達している。そのため、ボールとフェースとの間に水が介在した状態でのインパクト時に、リーディングエッジ近傍のスコアライン付近でボールをヒットしたときに、該スコアライン内の水がボールで圧迫され、水がスコアラインを伝ってリーディングエッジ側へ抜けるようになるので、ボールにバックスピンがかかり易くなる。
【００１１】
本発明において、スコアラインを略台形断面形状とし、スコアラインの溝側面と溝底面との交差部を曲率半径０．０５〜０．２ｍｍの湾曲面とした場合、インパクト時に該交差部に水が残りにくくなり、ボールにバックスピンがかかり易くなる。
【００１２】
また、スコアラインの溝底面を凹に湾曲した湾曲面とした場合、スコアライン内の水が溝底面の溝幅方向中央側に集まり易くなり、インパクト時にボールに圧迫されたときに抜け易くなる。
【図面の簡単な説明】
【００１３】
【図１】実施の形態に係るアイアン型ゴルフクラブヘッドの上面図である。
【図２】実施の形態に係るアイアン型ゴルフクラブヘッドのフェース面に正対した状態のリーディングエッジ近傍を示す図である。
【図３】スコアラインの断面図である。
【図４】別の実施の形態に係るアイアン型ゴルフクラブヘッドの上面図である。
【発明を実施するための形態】
【００１４】
以下、図面を参照して実施の形態について説明する。図１〜３は実施の形態に係るアイアン型ゴルフクラブヘッド２０を示すものである。このアイアン型ゴルフクラブヘッド２０はフェース面２１に複数の直線状のスコアライン１〜１７が互いに平行に、且つトウ側ほどリーディングエッジ２２側となるように斜めに設けられている。
【００１５】
スコアライン１〜１７のうちリーディングエッジ２２近傍のスコアライン１〜４のトウ側端部はリーディングエッジ２２にまで達している。即ち、スコアライン１〜４を構成する各溝はソール面に向って開放している。
【００１６】
図２の通り、スコアライン５〜１７のトウ側端部は直線ａ上に位置している。スコアライン１〜１０のヒール側端部は直線ｂ上に位置している。なお、直線ａ，ｂはスコアライン５〜１７又はスコアライン１〜１０の端部を結ぶ仮想線であり、フェース面２１上に引かれているものではない。直線ａ，ｂがリーディングエッジ２２と交差する点をＡ，Ｂとした場合、点Ａ，Ｂを結ぶ直線と各スコアライン１〜１７との交差角度θは８〜４０°特に１０〜４０°とりわけ１６〜４０°程度が好適である。
【００１７】
なお、図面を明瞭とするために図２では線分ＡＢは図示せず、代りに線分ＡＢと平行であり且つリーディングエッジ２２に接する直線ｄを図示している。
【００１８】
この実施の形態では、図３の通り、各スコアライン１〜１７は、その延在方向と直交方向の断面形状が、フェース面２１側よりも溝底面３０側が幅小の略台形断面形状の溝よりなっている。この溝底面３０は、幅方向中央部が最も深くなるように凹に湾曲した湾曲面となっている。この湾曲面の曲率半径は０．２〜２．０ｍｍ特に０．５〜１．０ｍｍ程度が好適である。
【００１９】
スコアライン１〜１７の１対の溝側面３１，３１と溝底面３０との交差部は、曲率半径ｒ１が０．０５〜０．２ｍｍ特に０．１〜０．１５ｍｍ程度の湾曲面となっている。各溝側面３１，３１とフェース面２１との交差角縁部３２はゴルフ規則を満たす湾曲面となっている。
【００２０】
このアイアン型ゴルフクラブヘッド２０のヒール側に一体的に連なるホゼル２３にシャフトを装着することによりゴルフクラブが構成される。本発明では、ゴルフクラブはロフト角が５０°以上、例えば５０〜７０°のウェッジであることが好ましい。
【００２１】
このウェッジを用いたボールをヒットする（ショットする）場合、フェースを開いた、いわゆるオープンフェースにすることが多い。このアイアン型ゴルフクラブヘッド２０では、スコアライン１〜１７がトウ側ほどリーディングエッジ２２に近づくように斜めとなっており、オープンフェースとしたときにスコアライン１〜１７がスクウェア又はそれに近くなり、バックスピンがかかり易い。また、このアイアン型ゴルフクラブヘッド２０では、リーディングエッジ２２側のスコアライン１〜４がリーディングエッジ２２にまで達している。そのため、ボールとフェースとの間に水が介在した状態でのインパクト時に、リーディングエッジ２２近傍のスコアライン１〜４付近でボールをヒットしたときに、該スコアライン１〜４内の水がボールで圧迫され、水がスコアライン１〜４を伝ってリーディングエッジ２２側へ抜けるようになるので、ボールにバックスピンがかかり易くなる。
【００２２】
この実施の形態においては、スコアライン１〜１９を略台形断面形状とし、スコアラインの溝側面３１と溝底面３０との交差部を曲率半径ｒ１＝０．０５〜０．２ｍｍの湾曲面としているので、インパクト時に該交差部に水が残りにくくなり、ボールにバックスピンがかかり易くなる。
【００２３】
また、スコアライン１〜１７の溝底面３０を凹に湾曲した湾曲面としているので、スコアライン１〜１７内の水が溝底面３０の溝幅方向中央側に集まり易くなり、インパクト時にボールに圧迫されたときに水が抜け易くなる。
【００２４】
なお、スコアライン１〜１７の溝最大深さｈ（図３）は０．３〜０．８ｍｍ特に０．３〜０．４ｍｍ程度が好適である。溝の中間深さ（ｈ／２）地点における溝幅Ｗは０．６〜０．９ｍｍ特に０．７〜０．８ｍｍ程度が好適である。スコアライン１〜１７の配列ピッチは３．０〜３．６ｍｍ特に３．２〜３．６ｍｍ程度が好適である。
【００２５】
図４はスコアラインの角度θを図１のアイアン型ゴルフクラブヘッド２０よりも大きくした実施の形態に係るアイアン型ゴルフクラブヘッド２０’の上面図である。この実施の形態では、１６条のスコアライン１〜１６が設けられている。その他の構成は図１のアイアン型ゴルフクラブヘッド２０と同一であり、同一符号は同一部分を示している。このアイアン型ゴルフクラブヘッド２０’によっても前記アイアン型ゴルフクラブヘッド２０と同様の作用効果が奏される。
【００２６】
本発明では、スコアラインの内面にフッ素樹脂塗料などの撥水性塗料によって撥水性コーティング層を形成してもよい。
【符号の説明】
【００２７】
１〜１７  スコアライン
２０，２０’  アイアン型ゴルフクラブヘッド
２１  フェース面
２２  リーディングエッジ
２３  ホゼル
３０  溝底面
３１  溝側面
３２  角縁部
【図１】
2013090828.tif 000003
【図２】
2013090828.tif 000004
【図３】
2013090828.tif 000005
【図４】
2013090828.tif 000006